【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
被検体に静磁場を印加するための磁石と、
磁気共鳴周波数における前記被検体との高周波カップリングのための少なくとも１つの高周波コイルと、
前記被検体に傾斜磁場を印加するための傾斜磁場コイルと、
前記被検体に高周波パルスを加えるために前記高周波コイルに印加する信号を生成する第１の生成手段と、
前記被検体に前記傾斜磁場を加えるために前記傾斜磁場コイルに印加する信号を生成する第２の生成手段と、
前記被検体の磁気共鳴により生じた磁気共鳴信号を増幅するために前記少なくとも１つの高周波コイルに連結された高周波アンプと、
前記高周波アンプにより増幅されたのちの磁気共鳴信号を記録する記録手段と、
前記記録手段により記録された前記磁気共鳴信号から前記被検体の磁気共鳴画像を演算する演算手段と、
前記被検体に少なくとも１つの高周波再収束パルスを加える前に、前記被検体に第１のＭＰＧパターンを加え、さらに、前記少なくとも１つの高周波再収束パルスを前記被検体に加えた後、前記被検体に第２のＭＰＧパターンを加えるために前記第１および第２の生成手段を制御する制御手段とを具備し、
前記制御手段はさらに、
前記第１および第２のＭＰＧパターンを互いに対称とし、
前記第１および第２のＭＰＧパターンを、スキューパラメータ（ε）を特徴とするテンプレートに従って決定し、
前記ＭＰＧパターンが適用されるイメージングシーケンスの他のパラメータの決定された値の関数として前記スキューパラメータ（ε）の最適値をリアルタイムで計算することにより等方性拡散強調を行うことを特徴とする磁気共鳴イメージング装置。
【請求項２】
前記制御手段は、前記スキューパラメータ（ε）の最適値を用いてＡＤＣの最大等方性値を計算し、このＡＤＣの最大等方性値を、ＡＤＣに要求される等方性値を選択するためにユーザに提示し、前記提示に基づいて前記ユーザにより選択された等方性値から前記第１および第２のＭＰＧパターンの振幅を計算し、前記計算された振幅を有する前記第１および第２のＭＰＧパターンを前記被検体に加えるように前記第２の生成手段を制御することを特徴とする請求項１に記載の磁気共鳴イメージング装置。
【請求項３】
前記イメージングシーケンスの他のパラメータは、前記第１のＭＰＧパターンと前記第２のＭＰＧパターンとの間の持続時間を特定するパラメータ（Ｔ）と、前記第１のＭＰＧパターンと前記第２のＭＰＧパターンとの持続時間を特定するパラメータ（τ）と、少なくとも１つのスルーレートパラメータ（δ）とを含むことを特徴とする請求項１に記載の磁気共鳴イメージング装置。
【請求項４】
前記第１のＭＰＧパターンは、互いに直交した第１、第２および第３の方向にそれぞれ沿って第１、第２および第３の成分を含み、
前記第２のＭＰＧパターンは、前記第１、第２および第３の方向にそれぞれ沿って第１、第２および第３の成分を有し、
前記第２のＭＰＧパターンの第１成分は、時間上で移動された前記第１のＭＰＧパターンの第１成分と実質的に同一であり、
前記第２のＭＰＧパターンの第２成分は、時間上で逆転および移動された前記第１のＭＰＧパターンの第２成分と実質的に同一であり、
前記第２のＭＰＧパターンの第３成分は、時間上で逆転および移動された前記第１のＭＰＧパターンの第３成分と実質的に同一であることを特徴とする請求項１に記載の磁気共鳴イメージング装置。
【請求項５】
前記第１および第２のＭＰＧパターンの各成分は、クロスポイントを中心として反対極性を有する２つのローブからなる単一サイクルを有することを特徴とする請求項４に記載の磁気共鳴イメージング装置。
【請求項６】
前記スキューパラメータ（ε）は、前記第１のＭＰＧパターンにおける第２の成分と第３の成分とのクロスポイントの間の時間差を特定するものであることを特徴とする請求項５に記載の磁気共鳴イメージング装置。
【請求項７】
それぞれの前記単一サイクルは、実質的に同一の区間を有し、前記第１のＭＰＧパターンの第１成分のクロスポイントは、前記第１のＭＰＧパターンの第１の成分の単一サイクルの中間地点であることを特徴とする請求項５に記載の磁気共鳴イメージング装置。
【請求項８】
被検体に静磁場を印加するための磁石と、
磁気共鳴周波数における前記被検体との高周波カップリングのための少なくとも１つの高周波コイルと、
前記被検体に傾斜磁場を印加するための傾斜磁場コイルと、
前記被検体に高周波パルスを加えるために前記高周波コイルに印加する信号を生成する第１の生成手段と、
前記被検体に前記傾斜磁場を加えるために前記傾斜磁場コイルに印加する信号を生成する第２の生成手段と、
前記被検体の磁気共鳴により生じた磁気共鳴信号を増幅するために前記少なくとも１つの高周波コイルに連結された高周波アンプと、
前記高周波アンプにより増幅されたのちの磁気共鳴信号を記録する記録手段と、
前記記録手段により記録された前記磁気共鳴信号から前記被検体の磁気共鳴画像を演算する演算手段と、
前記被検体に少なくとも１つの高周波再収束パルスを加える前に、前記被検体に第１のＭＰＧパターンを加え、さらに、前記少なくとも１つの高周波再収束パルスを前記被検体に加えた後、前記被検体に第２のＭＰＧパターンを加えるために前記第１および第２の生成手段を制御する制御手段とを具備し、
前記制御手段はさらに、
前記第１のＭＰＧパターンを、互いに直交した第１、第２および第３の方向にそれぞれ沿って第１、第２および第３の成分を含むものとし、
前記第２のＭＰＧパターンを、前記第１、第２および第３の方向にそれぞれ沿って第１、第２および第３の成分を有するものとし、
前記第２のＭＰＧパターンの第１成分を、時間上で移動された前記第１のＭＰＧパターンの第１成分と実質的に同一とし、
前記第２のＭＰＧパターンの第２成分を、時間上で逆転および移動された前記第１のＭＰＧパターンの第２成分と実質的に同一とし、
前記第２のＭＰＧパターンの第３成分を、時間上で逆転および移動された前記第１のＭＰＧパターンの第３成分と実質的に同一とし、
前記第１および第２のＭＰＧパターンの各成分が、クロスポイントを中心として反対極性を有する２つのローブからなる単一サイクルを有するものとし、
それぞれの前記単一サイクルを、実質的に同一の区間を有するものとするとともに、前記第１のＭＰＧパターンの第１成分のクロスポイントを、前記第１のＭＰＧパターンの第１成分の単一サイクルの中間地点とし、
等方性拡散強調のためにスキューパラメータ（ε）を調節し、このスキューパラメータ（ε）を、前記第１のＭＰＧパターンの中間地点よりも前の時点に向かった前記第１のＭＰＧパターンの第２成分の時間移動量と、前記第１のＭＰＧパターンの中間地点よりも後の時点に向かった前記第１のＭＰＧパターンの第３成分の時間移動量とを特定するものとすることを特徴とする磁気共鳴イメージング装置。
【請求項９】
前記制御手段は、前記スキューパラメータ（ε）の調節した値を用いてＡＤＣの最大等方性値を計算し、このＡＤＣの最大等方性値を、ＡＤＣの要求される等方性値を選択するためにユーザに提示し、前記提示に基づいてユーザにより選択される等方性ＡＤＣから前記第１および第２のＭＰＧパターンの振幅を計算し、前記計算された振幅を有する前記第１および第２のＭＰＧパターンを前記被検体に加えることを特徴とする請求項８に記載の磁気共鳴イメージング装置。
【請求項１０】
前記制御手段は、前記第１のＭＰＧパターンと前記第２のＭＰＧパターンとの間の持続時間を特定するパラメータ（Ｔ）と、前記第１のＭＰＧパターンと前記第２のＭＰＧパターンとの持続時間を特定するパラメータ（τ）と、少なくとも１つのスルーレートパラメータ（δ）とを含むシーケンスパラメータの与えられた値に基づいて、等方性拡散強調のための前記スキューパラメータ（ε）の最適値を演算することを特徴とする請求項８に記載の磁気共鳴イメージング装置。
【手続補正２】
【補正対象書類名】明細書
【補正対象項目名】発明の名称
【補正方法】変更
【補正の内容】
【発明の名称】磁気共鳴イメージング装置
【手続補正３】
【補正対象書類名】明細書
【補正対象項目名】０００１
【補正方法】変更
【補正の内容】
【０００１】
本発明は、等方性拡散強調（isotropic diffusion weighting）のために選択された拡散強調傾斜磁場（motion-probing gradient：ＭＰＧ）パルスを用いる磁気共鳴イメージング装置に関する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本発明の第１の態様による磁気共鳴イメージング装置は、被検体に静磁場を印加するための磁石と、磁気共鳴周波数における前記被検体との高周波カップリングのための少なくとも１つの高周波コイルと、前記被検体に傾斜磁場を印加するための傾斜磁場コイルと、前記被検体に高周波パルスを加えるために前記高周波コイルに印加する信号を生成する第１の生成手段と、前記被検体に前記傾斜磁場を加えるために前記傾斜磁場コイルに印加する信号を生成する第２の生成手段と、前記被検体の磁気共鳴により生じた磁気共鳴信号を増幅するために前記少なくとも１つの高周波コイルに連結された高周波アンプと、前記高周波アンプにより増幅されたのちの磁気共鳴信号を記録する記録手段と、前記記録手段により記録された前記磁気共鳴信号から前記被検体の磁気共鳴画像を演算する演算手段と、前記被検体に少なくとも１つの高周波再収束パルスを加える前に、前記被検体に第１のＭＰＧパターンを加え、さらに、前記少なくとも１つの高周波再収束パルスを前記被検体に加えた後、前記被検体に第２のＭＰＧパターンを加えるために前記第１および第２の生成手段を制御する制御手段とを具備し、前記制御手段はさらに、前記第１および第２のＭＰＧパターンを互いに対称とし、前記第１および第２のＭＰＧパターンを、スキューパラメータ（ε）を特徴とするテンプレートに従って決定し、前記ＭＰＧパターンが適用されるイメージングシーケンスの他のパラメータの決定された値の関数として前記スキューパラメータ（ε）の最適値をリアルタイムで計算することにより等方性拡散強調を行う。
【手続補正７】
【補正対象書類名】明細書
【補正対象項目名】００１３
【補正方法】変更
【補正の内容】
【００１３】
本発明の第２の態様による磁気共鳴イメージング装置は、被検体に静磁場を印加するための磁石と、磁気共鳴周波数における前記被検体との高周波カップリングのための少なくとも１つの高周波コイルと、前記被検体に傾斜磁場を印加するための傾斜磁場コイルと、前記被検体に高周波パルスを加えるために前記高周波コイルに印加する信号を生成する第１の生成手段と、前記被検体に前記傾斜磁場を加えるために前記傾斜磁場コイルに印加する信号を生成する第２の生成手段と、前記被検体の磁気共鳴により生じた磁気共鳴信号を増幅するために前記少なくとも１つの高周波コイルに連結された高周波アンプと、前記高周波アンプにより増幅されたのちの磁気共鳴信号を記録する記録手段と、前記記録手段により記録された前記磁気共鳴信号から前記被検体の磁気共鳴画像を演算する演算手段と、前記被検体に少なくとも１つの高周波再収束パルスを加える前に、前記被検体に第１のＭＰＧパターンを加え、さらに、前記少なくとも１つの高周波再収束パルスを前記被検体に加えた後、前記被検体に第２のＭＰＧパターンを加えるために前記第１および第２の生成手段を制御する制御手段とを具備し、前記制御手段はさらに、前記第１のＭＰＧパターンを、互いに直交した第１、第２および第３の方向にそれぞれ沿って第１、第２および第３の成分を含むものとし、前記第２のＭＰＧパターンを、前記第１、第２および第３の方向にそれぞれ沿って第１、第２および第３の成分を有するものとし、前記第２のＭＰＧパターンの第１成分を、時間上で移動された前記第１のＭＰＧパターンの第１成分と実質的に同一とし、前記第２のＭＰＧパターンの第２成分を、時間上で逆転および移動された前記第１のＭＰＧパターンの第２成分と実質的に同一とし、前記第２のＭＰＧパターンの第３成分を、時間上で逆転および移動された前記第１のＭＰＧパターンの第３成分と実質的に同一とし、前記第１および第２のＭＰＧパターンの各成分が、クロスポイントを中心として反対極性を有する２つのローブからなる単一サイクルを有するものとし、それぞれの前記単一サイクルを、実質的に同一の区間を有するものとするとともに、前記第１のＭＰＧパターンの第１成分のクロスポイントを、前記第１のＭＰＧパターンの第１成分の単一サイクルの中間地点とし、等方性拡散強調のためにスキューパラメータ（ε）を調節し、このスキューパラメータ（ε）を、前記第１のＭＰＧパターンの中間地点よりも前の時点に向かった前記第１のＭＰＧパターンの第２成分の時間移動量と、前記第１のＭＰＧパターンの中間地点よりも後の時点に向かった前記第１のＭＰＧパターンの第３成分の時間移動量とを特定するものとする。